(57)【要約】【課題】サービス事業者がユーザのコンテンツ視聴行動に応じた情報提供のタイミングを柔軟に設定できる情報提供システムを提供すること。【解決手段】情報提供システム１は、ユーザがコンテンツを視聴したことを示す視聴行動情報を取得する視聴行動受信部３１１と、コンテンツの関連情報の格納場所、及び当該関連情報を提示するタイミングを含む提示条件を記憶する提示条件記録部３２１と、ユーザがコンテンツを視聴したこと、及び提示条件に基づいて、関連情報及びユーザの提示端末に当該関連情報を提示するタイミングを判定する情報判定部３２３と、判定されたタイミングで関連情報を提示する提示端末２０と、を備える。【選択図】図４
2017188730.tif 000002
【特許請求の範囲】
【請求項１】
ユーザがコンテンツを視聴したことを示す視聴行動情報を取得する視聴行動取得部と、
前記コンテンツの関連情報の格納場所、及び当該関連情報を提示するタイミングを含む提示条件を記憶する条件記憶部と、
前記ユーザが前記コンテンツを視聴したこと、及び前記提示条件に基づいて、前記関連情報及びユーザの提示端末に当該関連情報を提示するタイミングを判定する情報判定部と、
前記情報判定部により判定されたタイミングで前記関連情報を提示する情報提示部と、を備える情報提供システム。
【請求項２】
前記コンテンツの視聴端末及び前記提示端末の対応付けを記憶する端末連携管理部を備え、
前記情報提示部は、前記視聴端末における前記コンテンツの視聴行動に関する前記提示条件に基づいて、前記提示端末において前記関連情報を提示する請求項１に記載の情報提供システム。
【請求項３】
前記提示条件は、前記提示端末の位置を含む請求項１又は請求項２に記載の情報提供システム。
【請求項４】
コンテンツの視聴端末、及び前記コンテンツの関連情報を提示する提示端末の対応付けを記憶する端末連携管理部と、
前記視聴端末から、前記コンテンツを視聴したことを示す視聴行動情報を取得する視聴行動取得部と、
前記コンテンツの関連情報の格納場所、及び当該関連情報を提示するタイミングを含む提示条件を記憶する条件記憶部と、
前記視聴行動情報を取得した後に、前記提示条件に基づいて、前記関連情報及び当該関連情報を提示するタイミングを判定する情報判定部と、
前記情報判定部により判定されたタイミングで、前記提示端末に前記関連情報を送信し提示させる情報送信部と、を備える情報提供装置。
【請求項５】
コンテンツの視聴端末から、前記コンテンツを視聴したことを示す視聴行動情報として、前記コンテンツの関連情報の格納場所、及び当該関連情報の提示タイミングを含む提示条件を取得する条件取得部と、
前記提示条件を記憶する条件記憶部と、
前記提示条件に基づいて、前記関連情報及び当該関連情報を提示するタイミングを判定する情報判定部と、
前記情報判定部により判定されたタイミングで前記関連情報を提示する情報提示部と、を備える提示端末。
【請求項６】
コンテンツの関連情報の格納場所、及び当該関連情報を提示するタイミングを含む提示条件を、前記コンテンツと共に受信する受信部と、
前記コンテンツを視聴したことを示す視聴行動情報として、前記提示条件をユーザの提示端末へ送信して記憶させ、前記提示条件に基づいて前記提示端末に前記関連情報及び当該関連情報を提示するタイミングを判定させ、判定されたタイミングで前記関連情報を提示させる条件送信部と、を備える視聴端末。
【請求項７】
コンテンツの関連情報の格納場所、及び当該関連情報を提示するタイミングを含む提示条件を記憶するコンピュータにおいて、
ユーザが前記コンテンツを視聴したことを示す視聴行動情報を取得する視聴行動取得ステップと、
前記ユーザが前記コンテンツを視聴したこと、及び前記提示条件に基づいて、前記関連情報及びユーザの提示端末に当該関連情報を提示するタイミングを判定する情報判定ステップと、
前記情報判定ステップにおいて判定されたタイミングで前記関連情報を提示する情報提示ステップと、を実行する情報提供方法。
【請求項８】
ユーザがコンテンツを視聴したことを示す視聴行動情報として、前記コンテンツの関連情報の格納場所、及び当該関連情報を提示するタイミングを含む提示条件を取得する条件取得ステップと、
前記提示条件を記憶する条件記憶ステップと、
前記提示条件に基づいて、前記関連情報及びユーザの提示端末に当該関連情報を提示するタイミングを判定する情報判定ステップと、
前記情報判定ステップにおいて判定されたタイミングで前記関連情報を提示する情報提示ステップと、をコンピュータが実行する情報提供方法。
【請求項９】
請求項７又は請求項８に記載の情報提供方法を前記コンピュータに実行させるための情報提供プログラム。
【発明の詳細な説明】
【技術分野】
【０００１】
本発明は、視聴コンテンツに関連した情報を提供する情報提供システム、情報提供装置、提示端末及び視聴端末に関する。
【背景技術】
【０００２】
従来、テレビと、スマートフォン又はタブレット端末などのモバイル端末とを連携させることで、ユーザがテレビで視聴中の番組に関連した情報を、テレビと連携したモバイル端末上に表示させるシステムが提案されている。
例えば、非特許文献１、特許文献１及び特許文献２に示されている方法は、いずれも現在進行中の番組に関連した情報の提示を可能にする技術である。これらの技術では、ユーザが現在視聴している番組（コンテンツ）を特定する識別子をユーザの端末が取得することで、端末上に、現在視聴中の番組（コンテンツ）に紐付けられた関連情報を提示している。
【先行技術文献】
【特許文献】
【０００３】
【特許文献１】特開２０１３−２５８４３９号公報
【特許文献２】特許第５７２６３５９号公報
【非特許文献】
【０００４】
【非特許文献１】ＩＰＴＶＦＪ−ＳＴＤ−００１０「放送通信連携システム仕様２．０版」、ＩＰＴＶフォーラム、２０１４年６月２９日策定
【発明の概要】
【発明が解決しようとする課題】
【０００５】
ところで、テレビとモバイル端末とが連携していない屋外などのシチュエーションにおいても、ユーザの番組視聴行動に応じたサービスを行いたいというサービス事業者のニーズがある。例えば、「この番組を視聴した人には、ある特定の日時に関連情報をお知らせしたい」といった場合、又は「テレビで特定のＣＭを見た人に対して、特定の地域に近付いたタイミングでクーポンを通知したい」という場合などが挙げられる。
【０００６】
しかしながら、前述した従来の方法を用いた場合、サービス事業者は、ユーザの番組視聴行動に応じた関連情報の提供、又はインセンティブとしてのポイント若しくはクーポンの通知などを任意のタイミングで実施することができない。このため、サービス事業者は、番組視聴時にクーポンを配布することができても、日常生活における行動シーンの適切なタイミング、例えば、クーポンが使える店の前などで、過去の番組視聴行動に基づく関連情報又はクーポンなどを提供することができなかった。
【０００７】
本発明は、サービス事業者がユーザのコンテンツ視聴行動に応じた情報提供のタイミングを柔軟に設定できる情報提供システム、情報提供装置、提示端末、視聴端末、情報提供方法及び情報提供プログラムを提供することを目的とする。
【課題を解決するための手段】
【０００８】
本発明に係る情報提供システムは、ユーザがコンテンツを視聴したことを示す視聴行動情報を取得する視聴行動取得部と、前記コンテンツの関連情報の格納場所、及び当該関連情報を提示するタイミングを含む提示条件を記憶する条件記憶部と、前記ユーザが前記コンテンツを視聴したこと、及び前記提示条件に基づいて、前記関連情報及びユーザの提示端末に当該関連情報を提示するタイミングを判定する情報判定部と、前記情報判定部により判定されたタイミングで前記関連情報を提示する情報提示部と、を備える。
【０００９】
前記情報提供システムは、前記コンテンツの視聴端末及び前記提示端末の対応付けを記憶する端末連携管理部を備え、前記情報提示部は、前記視聴端末における前記コンテンツの視聴行動に関する前記提示条件に基づいて、前記提示端末において前記関連情報を提示してもよい。
【００１０】
前記提示条件は、前記提示端末の位置を含んでもよい。
【００１１】
本発明に係る情報提供装置は、コンテンツの視聴端末、及び前記コンテンツの関連情報を提示する提示端末の対応付けを記憶する端末連携管理部と、前記視聴端末から、前記コンテンツを視聴したことを示す視聴行動情報を取得する視聴行動取得部と、前記コンテンツの関連情報の格納場所、及び当該関連情報を提示するタイミングを含む提示条件を記憶する条件記憶部と、前記視聴行動情報を取得した後に、前記提示条件に基づいて、前記関連情報及び当該関連情報を提示するタイミングを判定する情報判定部と、前記情報判定部により判定されたタイミングで、前記提示端末に前記関連情報を送信し提示させる情報送信部と、を備える。
【００１２】
本発明に係る提示端末は、コンテンツの視聴端末から、前記コンテンツを視聴したことを示す視聴行動情報として、前記コンテンツの関連情報の格納場所、及び当該関連情報の提示タイミングを含む提示条件を取得する条件取得部と、前記提示条件を記憶する条件記憶部と、前記提示条件に基づいて、前記関連情報及び当該関連情報を提示するタイミングを判定する情報判定部と、前記情報判定部により判定されたタイミングで前記関連情報を提示する情報提示部と、を備える。
【００１３】
本発明に係る視聴端末は、コンテンツの関連情報の格納場所、及び当該関連情報を提示するタイミングを含む提示条件を、前記コンテンツと共に受信する受信部と、前記コンテンツを視聴したことを示す視聴行動情報として、前記提示条件をユーザの提示端末へ送信して記憶させ、前記提示条件に基づいて前記提示端末に前記関連情報及び当該関連情報を提示するタイミングを判定させ、判定されたタイミングで前記関連情報を提示させる条件送信部と、を備える。
【００１４】
本発明に係る情報提供方法は、コンテンツの関連情報の格納場所、及び当該関連情報を提示するタイミングを含む提示条件を記憶するコンピュータにおいて、ユーザが前記コンテンツを視聴したことを示す視聴行動情報を取得する視聴行動取得ステップと、前記ユーザが前記コンテンツを視聴したこと、及び前記提示条件に基づいて、前記関連情報及びユーザの提示端末に当該関連情報を提示するタイミングを判定する情報判定ステップと、前記情報判定ステップにおいて判定されたタイミングで前記関連情報を提示する情報提示ステップと、を実行する。
【００１５】
本発明に係る情報提供方法は、ユーザがコンテンツを視聴したことを示す視聴行動情報として、前記コンテンツの関連情報の格納場所、及び当該関連情報を提示するタイミングを含む提示条件を取得する条件取得ステップと、前記提示条件を記憶する条件記憶ステップと、前記提示条件に基づいて、前記関連情報及びユーザの提示端末に当該関連情報を提示するタイミングを判定する情報判定ステップと、前記情報判定ステップにおいて判定されたタイミングで前記関連情報を提示する情報提示ステップと、をコンピュータが実行する。
【００１６】
本発明に係る情報提供プログラムは、前記情報提供方法を前記コンピュータに実行させる。
【発明の効果】
【００１７】
本発明によれば、サービス事業者は、ユーザのコンテンツ視聴行動に応じて関連情報を提供する場合に、提供のタイミングを柔軟に設定できる。
【図面の簡単な説明】
【００１８】
【図１】第１実施形態に係る情報提供システムの構成を示すブロック図である。
【図２】第１実施形態に係る視聴端末の機能構成を示すブロック図である。
【図３】第１実施形態に係る提示端末の機能構成を示すブロック図である。
【図４】第１実施形態に係る情報提供装置の機能構成を示すブロック図である。
【図５】第２実施形態に係る情報提供システムの機能構成を示すブロック図である。
【発明を実施するための形態】
【００１９】
［第１実施形態］
以下、本発明の第１実施形態について説明する。
図１は、本実施形態に係る情報提供システム１の構成を示すブロック図である。
情報提供システム１は、ユーザがコンテンツを視聴する視聴端末１０と、情報提示部としての提示端末２０と、視聴行動取得部、条件記憶部及び情報判定部としての情報提供装置３０とを備える。
【００２０】
情報提供システム１は、ユーザの視聴端末１０（例えば、テレビなどの受信装置）上でのコンテンツ（例えば、放送又は通信による番組）の視聴行動に応じた関連情報、及びこの関連情報の提示タイミングを情報提供装置３０が判定し、提示端末２０に提供する。この関連情報は、番組視聴とは非同期のタイミングで、ユーザの保有する提示端末２０に対して提示される。
【００２１】
図２は、本実施形態に係る視聴端末１０の機能構成を示すブロック図である。
視聴端末１０は、放送又は通信ネットワーク（例えば、インターネット）を介して受信した番組又はＣＭなどのコンテンツを再生して表示する装置である。また、視聴端末１０は、通信ネットワークを介して情報提供装置３０と接続されている。視聴端末１０は、例えばテレビ受像機、又はコンテンツを再生して表示する機能を有するＰＣなどの情報処理装置であってよい。
【００２２】
視聴端末１０は、受信部１１と、コンテンツ記憶部１２と、処理部１３と、表示部１４と、第１識別情報記憶部１５と、視聴行動送信部１６とを備える。
受信部１１は、放送又は通信ネットワークを介してコンテンツを受信する。
コンテンツ記憶部１２は、受信したコンテンツの映像信号をバッファリングし、処理部１３に提供することができる。
処理部１３は、コンテンツの映像信号をデコード処理し、表示部１４に提供する。
表示部１４は、デコードされたコンテンツを表示するディスプレイである。
【００２３】
第１識別情報記憶部１５は、視聴端末１０を識別するためのユニークなＩＤ（第１固有識別情報）を不揮発領域などに記憶する。このＩＤは、予め視聴端末１０に記憶されていてもよいし、外部から入力され一時的に記憶されてもよい。
【００２４】
視聴行動送信部１６は、視聴端末１０においてユーザがコンテンツを視聴したことを示す視聴行動情報を逐次、情報提供装置３０に通知する。具体的には、視聴端末１０は、放送経由でコンテンツを受信している場合には、このコンテンツを同定するための識別情報として、受信パケットの解析結果又は選局状態を、第１識別情報記憶部１５が保持するＩＤと共に所定間隔（例えば１分毎）で通知する。
【００２５】
例えば、視聴行動送信部１６は、放送を介して受信したパケットに含まれるイベント情報テーブルＥＩＴ［ｐ／ｆ］からｏｒｉｇｉｎａｌ＿ｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄ及びｅｖｅｎｔ＿ｉｄを抽出する。そして、視聴行動送信部１６は、これらを連結したデータと時刻情報とを組み合わせてコンテンツ同定のための識別情報としてよい。また、視聴行動送信部１６は、選局状態及び時刻情報のみを、コンテンツ同定のための識別情報としてもよい。
また、視聴端末１０が通信ネットワークを介して映像信号を受信する場合、視聴行動送信部１６は、例えば再生しているコンテンツのＵＲＬと再生時間とを、コンテンツ同定のための識別情報としてもよい。
このような視聴行動情報の送信機能は、視聴端末１０にインストールされた所定のアプリケーションソフトウェアをＣＰＵなどの制御部が実行することにより実現される。
【００２６】
図３は、本実施形態に係る提示端末２０の機能構成を示すブロック図である。
提示端末２０は、通信ネットワークを介して情報提供装置３０と接続された情報処理端末であり、情報を提示するディスプレイを有したスマートフォン又はタブレット端末などであってよい。
なお、視聴端末１０と提示端末２０とは、同じ装置で構成されてもよいし、別の装置で構成されてもよい。
【００２７】
提示端末２０は、情報提供装置３０に対して自身が保持しているＩＤ（第２固有識別情報）を通知し、応答された情報を受信して処理した結果をディスプレイ上に表示する。
提示端末２０は、第２識別情報記憶部２１と、情報要求送信部２２と、受信部２３と、処理部２４と、表示部２５とを備える。
【００２８】
第２識別情報記憶部２１は、提示端末２０を識別するためのユニークなＩＤ（第２固有識別情報）を不揮発領域などに記憶する。このＩＤは、予め提示端末２０に記憶されていてもよいし、外部から入力され一時的に記憶されてもよい。
【００２９】
情報要求送信部２２は、第２識別情報記憶部２１に記憶されているＩＤを情報提供装置３０に送信し、関連情報の提供を要求する。このとき、情報要求送信部２２は、提示端末２０の位置情報を合わせて送信する。位置情報は、例えばＧＰＳ測位された緯度経度情報、住所情報、又は場所の情報を特定可能な識別情報などであってよい。
【００３０】
受信部２３は、情報提供装置３０からコンテンツの関連情報を受信する。
処理部２４は、受信した関連情報を処理（例えば、映像圧縮ファイルをデコード、又はＨＴＭＬアプリケーションをブラウザ上で処理）し、表示部２５に提供する。
表示部２５は、関連情報を表示するディスプレイである。
【００３１】
図４は、本実施形態に係る情報提供装置３０の機能構成を示すブロック図である。
情報提供装置３０は、ＰＣ又はサーバなどの情報処理装置であり、記憶部に格納されたソフトウェアをＣＰＵなどの制御部が実行することにより、本実施形態の各種機能を実現する。
情報提供装置３０の制御部は、視聴端末１０から通知される視聴行動情報を記録管理する視聴行動管理部３１と、ユーザの視聴行動に基づく情報提供を行う情報提供部３２と、視聴端末１０と提示端末２０との紐付け管理を行う端末連携管理部３３とを備える。
なお、視聴行動管理部３１、情報提供部３２及び端末連携管理部３３は、それぞれ個別の装置として構成されてもよい。
【００３２】
視聴行動管理部３１は、視聴端末１０から送信されたユーザの視聴行動情報を視聴行動受信部３１１（視聴行動取得部）により受信し、処理部３１２により処理後のデータを視聴行動記録部３１３によりロギングして管理する。
具体的には、視聴行動管理部３１は、ユーザがどのチャンネルをどれぐらい見たか、又はどの番組若しくはＣＭを見ていたか、といった視聴行動情報を視聴端末１０のＩＤ（第１固有識別情報）と紐付けて管理する。このとき、視聴行動管理部３１は、視聴端末１０から通知された視聴行動情報をローデータとして記録してもよい。また、視聴行動管理部３１は、番組情報を含むメタデータを取得することにより視聴行動情報に対して解析・分析処理を行い、例えば「○○のジャンルの番組をどれぐらいみた」、「俳優○○が映っている番組をどれぐらいみた」といった統計的に分析された処理結果をＩＤ（第１固有識別情報）と紐付けて、ユーザの嗜好推定情報として記録してもよい。
【００３３】
情報提供部３２は、視聴行動に基づいて提供するコンテンツの関連情報及び提示タイミングを判断し、提示端末２０に対して情報提供を行う。このとき、情報提供部３２は、各サービス事業者が運営するＷｅｂサーバを参照し、提示対象の関連情報を取得してもよい。
情報提供部３２は、提示条件記録部３２１（条件記憶部）と、情報要求受信部３２２と、情報判定部３２３と、情報送信部３２４とを備える。
【００３４】
提示条件記録部３２１は、各サービス事業者が提供したい関連情報を提示条件と対応付けて記録する。例えば、「○○の番組を見た人に対して、○月○日の○時○分に、Ａという情報を通知する」、あるいは「△△ジャンルの番組を多く（所定以上の頻度で）見た人で○○地域にいる人に対して、Ｂという情報を提供する」といった提示条件が記録される。
このように、各サービス事業者は、提供する関連情報又は関連情報を指し示すＷｅｂサーバのＵＲＬと、関連情報を提示するタイミングを含む提示条件とを対応付け、例えば視聴行動、日時及び位置条件などについて提示条件記録部３２１に登録する。
【００３５】
情報要求受信部３２２は、提示端末２０から情報要求を受信し、情報判定部３２３に通知する。
情報判定部３２３は、少なくとも提示端末２０のＩＤ（第２固有識別情報）を含む情報要求に対して、視聴行動記録部３１３の第２固有識別情報に紐づく第１固有識別情報の視聴行動情報を抽出する。そして、情報判定部３２３は、視聴行動情報を取得した後に、提示条件記録部３２１に記録されている提示条件と照合することで、提供すべき関連情報及び提示タイミングを判定する。
情報送信部３２４は、関連情報を、情報判定部３２３により判定されたタイミングで提示端末２０へ送信する。
【００３６】
端末連携管理部３３は、視聴端末１０のＩＤ（第１固有識別情報）と提示端末２０のＩＤ（第２固有識別情報）との紐付け情報を、いずれかの端末から受信して記憶する。
【００３７】
本実施形態によれば、情報提供システム１は、コンテンツの視聴行動情報と、関連情報の提示条件とを管理することにより、ユーザがコンテンツを視聴した後に、関連情報及び提示タイミングを判定して提示する。したがって、関連情報を提供するサービス事業者は、ユーザのコンテンツ視聴行動に応じて関連情報を提供する場合に、視聴日時とは非同期に提供のタイミングを柔軟に設定できる。
【００３８】
また、情報提供システム１は、視聴端末１０と提示端末２０との紐付けを管理する。したがって、情報提供システム１は、ユーザがコンテンツを視聴した視聴端末１０とは異なる提示端末２０に対して、適切なタイミングで関連情報を提供できる。
【００３９】
また、情報提供システム１は、提示端末２０の位置情報を含む提示条件により関連情報の提示タイミングを判定する。したがって、情報提供システム１は、ユーザがコンテンツを視聴した後に、適切な場所で関連情報を適時に提供できる。
【００４０】
［第２実施形態］
以下、本発明の第２実施形態について説明する。
なお、第１実施形態と同様の構成には同一の符号を付し、説明を省略又は簡略化する。
【００４１】
図５は、本実施形態に係る情報提供システム１ａの機能構成を示すブロック図である。
本実施形態の情報提供システム１ａは、第１実施形態における情報提供装置３０を備えず、視聴端末１０ａと提示端末２０ａとがネットワーク接続されている。
視聴端末１０ａは、受信部１１と、コンテンツ記憶部１２と、処理部１３ａと、表示部１４と、提示条件送信部１７（条件送信部）とを備える。
【００４２】
本実施形態では、関連情報の提示条件が番組又はＣＭなどに重畳して付与されて送信されている。
処理部１３ａは、受信したコンテンツに重畳された提示条件を提示条件送信部１７へ提供する。
提示条件送信部１７は、関連情報の提示条件を、予め対応付けられている提示端末２０ａに通知し、記憶させる。この提示条件の通知は、ユーザがコンテンツを視聴した事実（視聴行動情報）を通知することに相当する。
【００４３】
提示端末２０ａは、提示条件受信部２６（視聴行動取得部、条件取得部）と、提示条件記録部２７（条件記憶部）と、情報判定部２８と、情報提示部２９とを備える。
提示条件受信部２６は、視聴端末１０ａから視聴行動情報と共に関連情報の提示条件を受信する。
提示条件記録部２７は、受信した提示条件を記憶する。
【００４４】
情報判定部２８は、提示条件記録部２７に記憶された提示条件を参照し、時刻及び現在の位置情報に基づいて提示する関連情報及び提示タイミングを判定する。
提示条件には、少なくとも提示タイミング（例えば、すぐ、日時指定、位置情報指定など）と関連情報の格納場所（例えば、ＷｅｂサーバのＵＲＬなど）が記載される。
情報提示部２９は、提示条件に合致した関連情報を取得し、提示条件に記述されたタイミングで提示する。
【００４５】
本実施形態によれば、情報提供システム１ａは、コンテンツと共に視聴端末１０ａが受信した提示条件を提示端末２０ａに提供し記憶させる。提示端末２０ａは、ユーザがコンテンツを視聴した後、この記憶した提示条件に基づいて関連情報を提示する。したがって、情報提供システム１ａは、サーバなどに視聴行動情報を記録することなく、端末間の連携によりコンテンツの視聴と非同期のタイミングで関連情報を適時に提供できる。
【００４６】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４７】
第１及び第２実施形態において、視聴端末（１０又は１０ａ）と提示端末（２０又は２０ａ）とは、異なる端末として説明したが、これらは同一の端末であってもよい。
また、情報提供システム（１又は１ａ）は、提示条件と共に関連情報の実体を記憶してもよいし、Ｗｅｂサーバなどの外部リソースから関連情報を取得してもよい。
【００４８】
また、第２実施形態において、情報提供システム１ａがコンテンツと共に提示条件を受信する場合、放送局などのコンテンツホルダが送信するこの提示条件とは別に、サービス事業者が指定する提示条件がさらに登録されてもよい。
例えば、放送局が関連情報の提供ポリシーとして、情報元の範囲、例えばドメインリストを提示条件として送信し、提示端末２０ａがこのドメインから関連情報及び詳細な提示条件を取得してもよい。
【００４９】
情報提供システム（１又は１ａ）の機能を実現するためのプログラムをコンピュータで読み取り可能な記録媒体に記録して、この記録媒体に記録されたプログラムをコンピュータシステムに読み込ませ、実行することによって実現してもよい。
【００５０】
ここでいう「コンピュータシステム」とは、ＯＳや周辺機器などのハードウェアを含むものとする。また、「コンピュータで読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。
【００５１】
さらに「コンピュータで読み取り可能な記録媒体」とは、インターネットなどのネットワークや電話回線などの通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００５２】
１，１ａ  情報提供システム、１０，１０ａ  視聴端末、１１  受信部、１２  コンテンツ記憶部、１３，１３ａ  処理部、１４  表示部、１５  第１識別情報記憶部、１６  視聴行動送信部、１７  提示条件送信部、２０，２０ａ  提示端末、２１  第２識別情報記憶部、２２  情報要求送信部、２３  受信部、２４  処理部、２５  表示部、２６  提示条件受信部、２７  提示条件記録部、２８  情報判定部、２９  情報提示部、３０  情報提供装置、３１  視聴行動管理部、３２  情報提供部、３３  端末連携管理部、３１１  視聴行動受信部、３１２  処理部、３１３  視聴行動記録部、３２１  提示条件記録部、３２２  情報要求受信部、３２３  情報判定部、３２４  情報送信部
【図１】
2017188730.tif 000003
【図２】
2017188730.tif 000004
【図３】
2017188730.tif 000005
【図４】
2017188730.tif 000006
【図５】
2017188730.tif 000007